(57)【要約】【目的】可撤性義歯を維持させるに当たり、維持が確実、強固であり、また着脱の際は容易に着脱でき、更に支台歯を修正加工する必要がないため、支台歯を傷めることがなく審美的にも優れた可撤性義歯を提供することにある。【構成】義歯を配置する下部に、左右の支台歯の間隙方向と平行に蝶番軸を設け、一方の蝶番端の左右の嵌合部を、左右の支台歯隣接面のアンダーカット部に嵌挿し、他方の蝶番端の左右の係合部を、左右の支台歯に係合させて、左右の支台歯それぞれを嵌合部と係合部とにより挟持させることを特徴とする可撤性義歯の係止方法および装置。【選択図】            図１
2004321645.tif 000002
【特許請求の範囲】
【請求項１】
義歯を配置する下部に、左右の支台歯の間隙方向と平行に蝶番軸を設け、一方の蝶番端の左右の嵌合部を、左右の支台歯隣接面のアンダーカット部に嵌挿し、他方の蝶番端の左右の係合部を、左右の支台歯に係合させて、左右の支台歯それぞれを嵌合部と係合部とにより挟持させることを特徴とする可撤性義歯の係止方法。
【請求項２】
蝶番を磁性体により閉鎖させる請求項１記載の可撤性義歯の係止方法。
【請求項３】
蝶番軸により開閉可能な２枚の蝶番片とよりなり、一方の蝶番端の左右の嵌合部と、他方の蝶番端の左右の係合部を有する請求項１記載の可撤性義歯の係止装置。
【請求項４】
蝶番軸に、左右の嵌合部を取り付け可能とした一方の蝶番部と、左右の係合部を取り付け可能とした他方の蝶番部とを設けた請求項３記載の可撤性義歯の係止装置に使用する蝶番装置。
【請求項５】
蝶番部の何れか一方の蝶番部に磁性体を組み込んだ請求項３記載の可撤性義歯の係止装置に使用する蝶番装置。
【発明の詳細な説明】
【０００１】
【産業上の利用分野】
本発明は可撤性義歯の維持装置に関するもので、天然歯を傷つけることなく、また、着脱が容易で、しかも確実な維持が得られる可撤性義歯の係止方法及びその装置に関する。
【０００２】
【従来の技術】
従来の義歯を維持させる方法は、通常は義歯にバネ（クラスプ）を設け、歯軸方向に挿入して着脱し、残存歯にこのバネ（クラスプ）を掛けて固定する方法になっている。また、Ｓｗｉｎｇ  Ｌｏｃｋ  Ａｔｔａｃｈｍｅｎｔと呼ばれるものは、金属鋳造床の左右それぞれの唇（頬）側に可動性のｈｉｎｇｅとｌｏｃｋ−ｌａｔｃｈによって連結維持される唇（頬）側ｂａｒからなるものにより義歯を維持する装置がある。
【０００３】
【発明が解決しようとする課題】
上記の従来の技術で述べた前者においては、バネ（クラスプ）と支台歯の間に発生する摩擦力や嵌合効力により補綴物が支台歯に維持される機構となっている。しかしながら、バネ（クラスプ）による摩擦維持力が発揮できなかったり、あるいはまた嵌合力が大きすぎて支台歯をゆさぶり、傷めるといった状況が生じることがある。また摩擦力を弱めることは、咀嚼および発音時に維持力がないため、義歯がはずれ易く困難をきたす。
【０００４】
また、上記の従来の技術で述べた後者においては、一ないし二歯欠損には使用できず、ラッチとヒンジを長いバーで繋ぐため、力の入れる方向を間違えば器具を破損するおそれがあること、そして唇（頬）側にｂａｒを設定するので審美性に問題があることから不適当である
。
【０００５】
上記したように、可撤性義歯を維持させるための種々の方法があり、それぞれの利点、欠点を有するものであるが、本発明は可撤性義歯を維持させるに当たり、維持力を使用せずに維持が確実であり、また着脱の際は容易に着脱でき、更に支台歯を加工修正する必要がなく、支台歯を傷めることのない審美的にも優れた可撤性義歯を提供することを目的とするものである。
【０００６】
【課題を解決するための手段】
上記目的を達成するために、本発明の可撤性義歯の係止方法及び装置は、義歯を配置する下部に、左右の支台歯の間隙方向と平行に蝶番軸を設け、一方の蝶番端の左右の嵌合部を、左右の支台歯隣接面のアンダーカット部に嵌挿し、他方の蝶番端の左右の係合部を、左右の支台歯に係合させて、左右の支台歯それぞれを嵌合部と係合部とにより挟持させることを特徴とする可撤性義歯の係止方法および装置にある。
また、加えて、蝶番を磁性体により閉鎖させる可撤性義歯の係止方法および装置である。
【０００７】
さらに、蝶番軸に、左右の嵌合部を取り付け可能とした一方の蝶番部と、左右の係合部を取り付け可能とした他方の蝶番部とを設けた可撤性義歯の係止方法に使用する蝶番装置にあり、加えて、義歯（人工歯）側の蝶番部に磁性体を組み込んだ可撤性義歯の係止方法に使用する蝶番装置である。
【０００８】
本発明は、一歯欠損に主として使用するものであるが、二歯欠損以上にも使用できる。蝶番軸は唇（頬）側、舌側何れの側にも設置できるが、蝶番軸を舌側に設置した方が係合部が見えず、唇（頬）側の鉤が必要ないため審美的に良い。また、本説明において下顎の臼歯で説明しているので、上下顎の大臼歯、小臼歯、前歯の何れの位置における欠損でも使用でき、位置関係を読み替えて使用できる。
【０００９】
義歯の作成は、大臼歯、小臼歯、前歯各部の欠損部粘膜形態、支台歯間の間隔、支台歯の隣接面の形状、アンダーカットの状態等、患者の各人によって相違しているから、適切な形に歯科技工士が作成する。
【００１０】
【発明の実施の形態】
実施例について図面を参照して説明する。
図１および図２は口腔模型１であり、図１は可撤性義歯の開放状態を示し、図２は可撤性義歯の閉鎖状態を示すものである。義歯を配置する下部に、左右の支台歯３の間隙方向と平行に蝶番軸４を設け、一方の蝶番片５の左右の嵌合部７を、左右の支台歯３の隣接面アンダーカット部８に嵌挿し、他方の蝶番片６を蝶番軸４を軸にして旋回させ、蝶番片５と蝶番片６を密接させ、蝶番片６の左右の係合部９を、左右の支台歯３に係合させて、左右の支台歯３のそれぞれを嵌合部７と係合部９とにより挟持させて、可撤性義歯を固定する。
【００１１】
図３および図４は共に可撤性義歯の開放したものの斜視図である。
図５は可撤性義歯の閉鎖したものの正面図である。
本発明の可撤性義歯を装着する方法は、開放状態で、左右の支台歯３の隣接面アンダーカット部８に嵌合部７を唇（頬）側から嵌挿し、義歯２を蝶番軸４を軸として起こすように旋回させて係合部９を支台歯３に係合させ、嵌合部７と係合部９とで支台歯３を挟持させて義歯２を固定させる。
【００１２】
【発明の効果】
本発明は、上述のとおり構成されているので、次に記載する効果を奏する。
可撤性義歯を維持させるに当たり、維持力を使用せず、アンダーカットを利用するため、維持が確実、強固であり、また着脱の際は容易に着脱でき、更に支台歯を修正加工する必要がないため、支台歯を傷めることがなく、唇（頬）側に嵌合部を見せないようにしているため審美的にも優れた可撤性義歯を提供することができる。
【図面の簡単な説明】
【図１】口腔模型の可撤性義歯の開放した平面図である。
【図２】口腔模型の可撤性義歯の装着した平面図である。
【図３】可撤性義歯の開放したものの斜視図である。
【図４】可撤性義歯の開放したものの別方向の斜視図である。
【図５】可撤性義歯の閉鎖したものの正面図である。
【符号の説明】
１      口腔模型
２      義歯（人工歯）
３      支台歯
４      蝶番軸
５      蝶番片
６      蝶番片
７      嵌合部
８      アンダーカット部
９      係合部
１０    磁性体対応金属
１１    磁性体
【図１】
2004321645.tif 000003
【図２】
2004321645.tif 000004
【図３】
2004321645.tif 000005
【図４】
2004321645.tif 000006
【図５】
2004321645.tif 000007